【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
送電網（２０２）内の任意の数の回路を制御する方法であって、
送電網（２０２）内の任意の数の回路の任意の数のパラメータを監視するステップであって、任意の数の回路の各々（２２０）が、送電網内（２０２）内の複数のノード（２２４）と、送電網内の前記複数のノード（２２４）に接続された任意の数の動力線（２３３）とを含んでおり、任意の数の動力線（２３３）が電力（２１４）を運搬し、複数のノード（２２４）が、任意の数の動力線（２３３）内を運搬される電力（２１４）を制御し、複数のノード（２２４）に関連付けられた任意の数のエージェントプロセス（２２６）が、通信ネットワーク（２０４）を使用して互いに通信し、送電網（２０２）内の複数のノード（２２４）を各回路（２２０）に構成し、且つ各回路（２２０）を介した任意の数の負荷への電力（２１４）の送達を制御する、ステップ[工程１５００]と、
任意の数のパラメータと方針とに基づいて、任意の数の回路に変更を加えるかどうかを決定するステップ[工程１５０２]と、
任意の数の回路に変更を加えるという決定に応答して、方針を使用して任意の数の回路を変更するステップ[工程１５０４]と
を含む方法。
【請求項２】
方針を使用して任意の数の回路を変更するステップが、複数のノード（２２４）の少なくとも一部の構成を変更することを含む、請求項１に記載の方法。
【請求項３】
方針を使用して任意の数の回路を変更するステップが、任意の数の回路の少なくとも１つに含まれる複数のノードの構成を変更することを含む、請求項１又は２に記載の方法。
【請求項４】
方針を使用して任意の数の回路を変更するステップが、任意の数の回路に新規の回路を追加することを含む、請求項１ないし３のいずれか一項に記載の方法。
【請求項５】
送電網（２０２）内の任意の数の回路の任意の数のパラメータを監視するステップが、送電網（２０２）内の任意の数の回路に関連付けられた任意の数のセンサ（３０６、３０７）から情報（３１９）を受け取ることを含む、請求項１ないし４のいずれか一項に記載の方法。
【請求項６】
任意の数のパラメータと方針とに基づいて、任意の数の回路に変更を加えるかどうかを決定するステップが、送電網（２０２）内の任意の数の回路に関連付けられた任意の数のセンサ（３０６、３０７）から受け取った情報（３１９）に基づいて、任意の数の回路に変更を加えるかどうかを決定することを含む、請求項５に記載の方法。
【請求項７】
任意の数のパラメータには、動力線の容量、動力線の温度、所望のレベルを上回る値を有する電圧の存在、及び動力線の容量低下のうちの少なくとも１つが含まれる、請求項１ないし６のいずれか一項に記載の方法。
【請求項８】
任意の数のエージェントプロセス（２２６）のうちの１つのエージェントプロセス（３１８）が、制御装置インターフェースプロセス（３２１）、デマンド応答システムインターフェースプロセス（３２３）、最適化プロセス（３２５）、安定化プロセス（３２７）、電力潮流信号送信プロセス（３２９）、通知プロセス（３３１）、及びサイバーセキュリティプロセス（３３３）のうちの少なくとも１つを含む、請求項１に記載の方法。
【請求項９】
エージェントプロセス（３１８）のうちの最適化プロセス（３２５）は、送電網（２０２）内の電力潮流の負荷の平衡化、送電網（２０２）内における電力損失の低減、送電網（２０２）内の送電コストの削減、送電網（２０２）内の輻輳の緩和、安全閾値外の動作からの制御装置（３０８）の保護、及び送電網（２０２）の容量に対する電力潮流の増大のうちの少なくとも１つを実行する、請求項８に記載の方法。
【請求項１０】
仮想電力回路を制御するシステムであって、
送電網内の任意の数の回路と、該任意の数の回路と関連付けられたエージェントプロセスとを有し、
該任意の数の回路における各回路は該送電網に複数のノードと該送電網における該複数のノードに接続された任意の数の電力線を有し、該任意の数の電力線が電力を運搬するように構成され、該複数のノードが該任意の数の電力線内で運搬される該電力を制御するように構成され、かつ
該複数のノードと関連付けられた任意の数のエージェントプロセスが、通信ネットワークを用いて互いに通信し、該送電網内の該複数のノードを該各回路に構成し、かつ該各回路を介して任意の数の負荷への該電力の伝達を制御するように構成され、
該エージェントプロセスの少なくとも一部が該送電網内の該任意の数の回路における任意の数のパラメータを監視し、該任意の数のパラメータと方針とに基づいて該任意の数の回路に変更を加えるか否かを決定し、該任意の数の回路に変更を加える決定に応答して該方針を用いて該任意の数の回路を変更するように構成された、システム。
【手続補正２】
【補正対象書類名】明細書
【補正対象項目名】０００９
【補正方法】変更
【補正の内容】
【０００９】
また別の有利な実施形態では、送電網内の任意の数の回路を制御する方法が提示される。送電網内の任意の数の回路の任意の数のパラメータが監視される。任意の数の回路の各々は、送電網内の複数のノードと、送電網内でこれら複数のノードに接続された任意の数の動力線とを備えている。任意の数の動力線は電力を運搬する。複数のノードは、任意の数の動力線を運搬される電力を制御する。複数のノードに関連付けられた任意の数のエージェントプロセスは、通信ネットワークを使用して互いに通信し、送電網内の複数のノードを回路に構成し、この回路を介した任意の数の負荷への電力送達を制御する。任意の数のパラメータと方針とに基づいて、任意の数の回路に変更を加えるかどうかが決定される。任意の数の回路に変更を加えることが決定されると、方針を使用して任意の数の回路が変更される。方針を使用した任意の数の回路の変更は、複数のノードの少なくとも一部の構成を変更することを含む。方針を使用した任意の数の回路の変更は、任意の数の回路の少なくとも１つに含まれる複数のノードの構成を変更することを含む。方針を使用した任意の数の回路の変更は、これら任意の数の回路に新規回路を加えることを含む。送電網内の任意の数の回路の任意の数のパラメータの監視は、送電網内の任意の数の回路に関連付けられた任意の数のセンサから情報を受け取ることを含む。任意の数のパラメータと方針とに基づいた、任意の数の回路に変更を加えるかどうかの決定は、送電網内の任意の数の回路に関連付けられた任意の数のセンサから受け取った情報に基づいて任意の数の回路に変更を加えるかどうかを決定することを含む。任意の数のパラメータには、動力線の容量、動力線の温度、所望のレベルを上回る値を有する電圧の存在、及び動力線の容量低下のうちの少なくとも１つが含まれる。任意の数のエージェントプロセスのうちの１つは、制御装置インターフェースプロセス、デマンド応答システムインターフェースプロセス、最適化プロセス、安定化プロセス、電力潮流信号送信プロセス、通知プロセス、及びサイバーセキュリティプロセスのうちの少なくとも１つを含む。エージェントプロセスのうちの最適化プロセスは、送電網内の電力潮流の負荷の平衡化、送電網内における電力損失の低減、送電網内の送電コストの削減、送電網内の輻輳の緩和、安全閾値外の動作からの制御装置の保護、及び送電網の容量に対する電力潮流の増大のうちの少なくとも１つを実行する。
【手続補正３】
【補正対象書類名】明細書
【補正対象項目名】０２３５
【補正方法】変更
【補正の内容】
【０２３５】
種々の有利な実施形態の説明は、例示及び説明を目的として提示されているものであり、網羅的な説明であること、又は開示された形態に実施形態を限定することを意図していない。当業者には、多数の修正例及び変形例が明らかであろう。さらに、種々の有利な実施形態は、他の有利な実施形態とは異なる利点を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
また、本願は以下に記載する態様を含む。
（態様１）
送電網（２０２）内の任意の数の回路を制御する方法であって、
送電網（２０２）内の任意の数の回路の任意の数のパラメータを監視するステップであって、任意の数の回路の各々（２２０）が、送電網内（２０２）内の複数のノード（２２４）と、送電網内の前記複数のノード（２２４）に接続された任意の数の動力線（２３３）とを含んでおり、任意の数の動力線（２３３）が電力（２１４）を運搬し、複数のノード（２２４）が、任意の数の動力線（２３３）内を運搬される電力（２１４）を制御し、複数のノード（２２４）に関連付けられた任意の数のエージェントプロセス（２２６）が、通信ネットワーク（２０４）を使用して互いに通信し、送電網（２０２）内の複数のノード（２２４）を各回路（２２０）に構成し、且つ各回路（２２０）を介した任意の数の負荷への電力（２１４）の送達を制御する、ステップ[工程１５００]と、
任意の数のパラメータと方針とに基づいて、任意の数の回路に変更を加えるかどうかを決定するステップ[工程１５０２]と、
任意の数の回路に変更を加えるという決定に応答して、方針を使用して任意の数の回路を変更するステップ[工程１５０４]と
を含む方法。
（態様２）
方針を使用して任意の数の回路を変更するステップが、  複数のノード（２２４）の少なくとも一部の構成を変更することを含む、態様１に記載の方法。
（態様３）
方針を使用して任意の数の回路を変更するステップが、  任意の数の回路の少なくとも１つに含まれる複数のノードの構成を変更することを含む、態様１又は２に記載の方法。
（態様４）
方針を使用して任意の数の回路を変更するステップが、  任意の数の回路に新規の回路を追加することを含む、態様１ないし３のいずれか一項に記載の方法。
（態様５）
送電網（２０２）内の任意の数の回路の任意の数のパラメータを監視するステップが、       送電網（２０２）内の任意の数の回路に関連付けられた任意の数のセンサ（３０６、３０７）から情報（３１９）を受け取ることを含む、態様１ないし４のいずれか一項に記載の方法。
（態様６）
任意の数のパラメータと方針とに基づいて、任意の数の回路に変更を加えるかどうかを決定するステップが、送電網（２０２）内の任意の数の回路に関連付けられた任意の数のセンサ（３０６、３０７）から受け取った情報（３１９）に基づいて、任意の数の回路に変更を加えるかどうかを決定することを含む、態様５に記載の方法。
（態様７）
任意の数のパラメータには、動力線の容量、動力線の温度、所望のレベルを上回る値を有する電圧の存在、及び動力線の容量低下のうちの少なくとも１つが含まれる、態様１ないし６のいずれか一項に記載の方法。
（態様８）
任意の数のエージェントプロセス（２２６）のうちの１つのエージェントプロセス（３１８）が、制御装置インターフェースプロセス（３２１）、デマンド応答システムインターフェースプロセス（３２３）、最適化プロセス（３２５）、安定化プロセス（３２７）、電力潮流信号送信プロセス（３２９）、通知プロセス（３３１）、及びサイバーセキュリティプロセス（３３３）のうちの少なくとも１つを含む、態様１に記載の方法。
（態様９）
エージェントプロセス（３１８）のうちの最適化プロセス（３２５）は、送電網（２０２）内の電力潮流の負荷の平衡化、送電網（２０２）内における電力損失の低減、送電網（２０２）内の送電コストの削減、送電網（２０２）内の輻輳の緩和、安全閾値外の動作からの制御装置（３０８）の保護、及び送電網（２０２）の容量に対する電力潮流の増大のうちの少なくとも１つを実行する、態様８に記載の方法。